(57)【要約】【課題】変化する道路環境に略リアルタイムに対応して推奨ルート・挙動等を提供する。【解決手段】クライアントシステム２は、測位部１１と、基準情報を格納する基準情報格納部１２と、走行履歴取得部１３と、挙動履歴取得部１４と、画像認識部１５と、ルート生成部１６と、挙動生成図１７とを備え、サーバシステム３は、複数の車両の走行履歴情報を格納する走行履歴データベース２１と、複数の車両の挙動履歴情報を格納する挙動履歴データベース２２と、複数の車両の画像認識情報を格納する画像認識データベース２３と、前記データベース２１〜２３に格納された情報に基づいて各クライアントシステム２の前記基準情報を更新する更新情報を送信する基準情報更新部２４とを備える。【選択図】図１
2011145756.tif 000002
【特許請求の範囲】
【請求項１】
複数の車両の各々に装備され、運転者に対して走行を支援する情報を提供するクライアントシステムと、
前記各クライアントシステムと無線通信網を介して接続するサーバシステムと、
を備える車両走行支援システムであって、
前記クライアントシステムは、
自車の位置を検知する測位手段と、
道路網の構成、道路上又は道路周辺の状況、車両の挙動に関する情報を含む基準情報を格納する基準情報格納手段と、
前記自車の走行履歴を取得する走行履歴取得手段と、
前記自車の走行時における挙動履歴を取得する挙動履歴取得手段と、
前記自車周辺の画像を認識する画像認識手段と、
前記測位手段による検知結果及び前記基準情報に基づいて前記自車の目的地までの推奨するルートを生成するルート生成手段と、
前記測位手段による検知結果及び前記基準情報に基づいて前記自車の走行時における推奨する挙動を決定する挙動生成手段と、
を備え、
前記サーバシステムは、
複数の前記車両の走行履歴情報を格納する走行履歴データベースと、
複数の前記車両の挙動履歴情報を格納する挙動履歴データベースと、
複数の前記車両の画像認識情報を格納する画像認識データベースと、
前記走行履歴データベース、前記挙動履歴データベース、及び前記画像認識データベースに格納された情報に基づいて、前記各クライアントシステムの前記基準情報格納手段に格納された前記基準情報を更新する更新情報を送信する基準情報更新手段と、
を備える車両走行支援システム。
【請求項２】
前記クライアントシステムは、前記自車の種類を特定する車種情報を送信する手段を更に備え、
前記走行履歴データベース、前記挙動履歴データベース、及び前記画像認識データベースの少なくとも１つは、前記車種情報が関連付けられて構成され、
前記基準情報更新手段は、前記更新情報を前記車種が共通する車両の前記クライアントシステムに送信する、
請求項１に記載の車両走行支援システム。
【請求項３】
前記クライアントシステムは、前記自車の所有者を特定する所有者情報を送信する手段を更に備え、
前記走行履歴データベース、前記挙動履歴データベース、及び前記画像認識データベースの少なくとも１つは、前記所有者情報が関連付けられて構成され、
前記基準情報更新手段は、前記所有者に適合する前記更新情報を当該車両のクライアントシステムに送信する、
請求項１又は２に記載の車両走行支援システム。
【請求項４】
前記走行履歴情報、前記挙動履歴情報、及び前記画像認識情報の少なくとも１つには、タイムスタンプが含まれ、該タイムスタンプが新しい程信頼性が高くなるように重み付けされている、
請求項１〜３のいずれか１つに記載の車両走行支援システム。
【請求項５】
道路網の構成、道路上又は道路周辺の状況、車両の挙動に関する情報を含む基準情報と、自車位置とに基づいて、運転者に対して車両の走行を支援する情報を提供する車両走行支援方法であって、
複数の車両の走行履歴を収集するステップと、
複数の車両の挙動履歴を収集するステップと、
複数の車両の周辺画像の認識結果を収集するステップと、
前記収集された複数の走行履歴、前記収集された複数の挙動履歴、及び前記収集された複数の画像認識結果に基づいて、前記各車両が保持する前記基準情報を更新するステップと、
を備える車両走行支援方法。
【発明の詳細な説明】
【技術分野】
【０００１】
本発明は、車両の走行を支援するためのシステム及び方法に関する。
【背景技術】
【０００２】
現在、自動車、オートバイ等の車両において目的地までのルートの提案等を行うナビゲーションシステムが普及している。近年、このようなシステムにおいて、ルートの提案だけでなく、新規な道路の開通又は閉鎖に対応して地図情報を更新する機能（特許文献１〜４参照）、複数のレーンが設けられた道路においてレーンの選択を支援する機能（特許文献５，６参照）等が開発されている。また、特許文献７において、車両の位置に対応する挙動を学習することにより、位置精度の向上を図る構成が開示されている（特許文献７参照）。前記挙動として、右左折、減加速、窓の開閉、ライトのオン／オフ、ＡＴ車のキックダウン等が挙げられている。
【先行技術文献】
【特許文献】
【０００３】
【特許文献１】特開２００２−０５４９３４号公報
【特許文献２】特開２００６−０５２９７２号公報
【特許文献３】特開２００６−１２５８８３号公報
【特許文献４】特開２００７−０５２３４１号公報
【特許文献５】特開２００６−１８４００５号公報
【特許文献６】特開２００７−１６４３２８号公報
【特許文献７】特開２００８−２７５５７５号公報
【発明の概要】
【発明が解決しようとする課題】
【０００４】
図８（Ａ），（Ｂ）は、上記のような従来のシステムにおいて生ずる問題点を例示している。図８（Ａ）は、３レーンある道路を走行中の車両１０１が交差点を左折する場合を示している。このような場合、上記レーンの選択を支援する機能により、左側のレーンへ移動する指示１０２がディスプレイ、スピーカ等を介して行われる。しかしながら、この例においては、交差点に近い左側のレーンに路上駐車中の車両１０３が存在するため、中央のレーンから左折動作に入るのが適当であり、前記指示１０２に従うのは適当でない。また、図８（Ｂ）は、システムによって交差点を左折するルートが提案されたが、左折した先には通行不可能な工事現場１０５が存在する場合を示している。このような場合、前記工事現場１０５を迂回するルート１０６が再設定されるべきであるが、このような再設定は、通常、運転者が自らの判断によりシステムに提案されたルートとは異なるルートを走行し始めなければ行われない。
【課題を解決するための手段】
【０００５】
本発明は、上記課題の解決を図るものであり、その一態様は、複数の車両の各々に装備され、運転者に対し走行を支援する情報を提供するクライアントシステムと、前記各クライアントシステムと無線通信網を介して接続するサーバシステムとを備える車両走行支援システムであって、前記クライアントシステムは、自車の位置を検知する測位手段と、道路網の構成、道路上又は道路周辺の状況、車両の挙動に関する情報を含む基準情報を格納する基準情報格納手段と、前記自車の走行履歴を取得する走行履歴取得手段と、前記自車の走行時における挙動履歴を取得する挙動履歴取得手段と、前記自車周辺の画像を認識する画像認識手段と、前記測位手段による検知結果及び前記基準情報に基づいて前記自車の目的地までの推奨するルートを生成するルート生成手段と、前記測位手段による検知結果及び前記基準情報に基づいて前記自車の走行時における推奨する挙動を決定する挙動生成手段とを備え、前記サーバシステムは、複数の前記車両の走行履歴情報を格納する走行履歴データベースと、複数の前記車両の挙動履歴情報を格納する挙動履歴データベースと、複数の前記車両の画像認識情報を格納する画像認識データベースと、前記走行履歴データベース、前記挙動履歴データベース、及び前記画像認識データベースに格納された情報に基づいて、前記各クライアントシステムの前記基準情報格納手段に格納された前記基準情報を更新する更新情報を送信する基準情報更新手段とを備えるものである。
【０００６】
また、本発明の他の態様は、道路網の構成、道路上又は道路周辺の状況、車両の挙動に関する情報を含む基準情報と、自車位置とに基づいて、運転者に対して車両の走行を支援する情報を提供する車両走行支援方法であって、複数の車両の走行履歴を収集するステップと、複数の車両の挙動履歴を収集するステップと、複数の車両の周辺画像の認識結果を収集するステップと、前記収集された複数の走行履歴、前記収集された複数の挙動履歴、及び前記収集された複数の画像認識結果に基づいて、前記各車両が保持する前記基準情報を更新するステップとを備えるものである。
【０００７】
上記態様により、各車両（クライアントシステム）が保持する前記基準情報は、複数の他車により収集された（前記サーバシステムに保持された）走行履歴情報、挙動履歴情報、及び画像認識情報に基づいて更新される。そして、各車両（各クライアントシステム）において、更新された前記基準情報に基づいて推奨ルート・挙動等の有用な情報が生成され、運転者に提供される。
【発明の効果】
【０００８】
本発明によれば、自車が走行したことのない道路であっても、他車により取得されたデータに基づいて作成される前記基準情報に基づいて、推奨ルート・挙動等を生成することが可能となる。これにより、時々刻々と変化する道路環境に略リアルタイムに対応して推奨ルート・挙動等を提案することが可能となる。
【図面の簡単な説明】
【０００９】
【図１】図１は、本発明の実施の形態１に係る車両走行支援システムの機能的な構成を示している。
【図２】図２は、実施の形態１に係る車両走行支援システムのハードウェア構成を例示している。
【図３】図３は、実施の形態１に係る車両走行支援システムにおける処理の流れを例示するフローチャートである。
【図４】図４（Ａ）〜（Ｄ）は、ある道路が推奨ルートとして適しているか否かの判定及び推奨挙動の生成に関する状況を例示している。
【図５】図５（Ａ），（Ｂ）は、ある駐車場を目的地として設定した場合における推奨ルート及び推奨挙動の生成に関する状況を例示している。
【図６】図６（Ａ），（Ｂ）は、時間帯により推奨挙動が変化する状況を例示している。
【図７】図７（Ａ），（Ｂ）は、不可視の障害物が存在する場合の対応を例示している。
【図８】図８（Ａ），（Ｂ）は、従来のシステムにおいて生ずる問題点を例示している。
【発明を実施するための形態】
【００１０】
実施の形態１
図１は、本発明の実施の形態１に係る走行支援システム１の機能的な構成を示している。前記走行支援システム１は、複数の車両の各々に装備され、運転者に対して走行を支援する情報を提供するクライアントシステム２と、前記各クライアントシステム２と無線通信網を介して接続するサーバシステム３とを備える。
【００１１】
前記クライアントシステム２は、一般的なナビゲーションシステム等を含むであり、測位部１１、基準情報格納部１２、走行履歴取得部１３、挙動履歴取得部１４、画像認識部１５、ルート生成部１６、及び挙動生成部１７を備えている。
【００１２】
前記測位部１１は、自車の位置を検知する。前記測位部１１は、例えばマイクロプロセッサ、ＧＰＳ(Global Positioning System)技術等に基づく各種演算制御プログラム、ＧＰＳアンテナ等を用いて構成することができる。
【００１３】
前記基準情報格納部１２は、道路網の構成、道路上又は道路周辺の状況、車両の挙動に関する情報等を含む基準情報を格納する。前記基準情報格納部１２は、前記基準情報の更新が可能な構成を備え、例えばマイクロプロセッサ、書き換え可能な大容量記憶装置（ＨＤＤ、フラッシュメモリ等）、各種演算制御プログラム等を用いて構成することができる。
【００１４】
前記走行履歴取得部１３は、自車の走行履歴を取得する。前記走行履歴取得部１３は、前記測位部１１による検知結果、前記基準情報に含まれる道路網データ等に基づいて、前記走行履歴を取得する。前記走行履歴取得部１３は、例えばマイクロプロセッサ、記憶装置、各種演算制御プログラム等を用いて構成することができる。また、時計用ＩＣ等を利用することにより、前記走行履歴にタイムスタンプを含ませることが好ましい。
【００１５】
前記挙動履歴取得部１４は、自車の走行時における挙動履歴を取得する。前記挙動とは、走行時における車両の微視的な動作を含むものであり、例えば車線変更・旋回・加速・減速・停止・後退等の走行動作、ナビゲーションシステム・オーディオ・エアコン・前照灯・パワーウィンド等の付属機器の操作等がこれに相当する。前記挙動履歴取得部１４は、例えばマイクロプロセッサ、各種センサ（速度センサ、加速度センサ、蛇角センサ、操作ユニットの入力検知センサ等）、各種演算制御プログラム等を利用して構成することができる。また、前記挙動履歴にもタイムスタンプを含ませることが好ましい。
【００１６】
前記画像認識手段１５は、自車周辺の画像を認識する。前記画像としては、道路標識・標示、自車周辺に存在する車両・人物、道路周辺の建造物、路面の状態等が挙げられる。前記画像認識手段１５は、撮像装置、高い処理能力を備えるマイクロプロセッサ、各種演算制御プログラム等を用いて構成することができる。また、この画像認識に関する情報にもタイムスタンプを含ませることが好ましい。
【００１７】
前記ルート生成部１６は、前記測位部１１による検知結果及び前記基準情報格納手段１２に格納された前記基準情報に基づいて、自車の目的地までの推奨するルートを生成する。前記ルート生成部１６は、マイクロプロセッサ、各種演算制御プログラム等を用いて構成することができる。
【００１８】
前記挙動生成部１７は、前記測位部１１による検知結果及び前記基準情報格納手段１２に格納された前記基準情報に基づいて、自車の走行時における推奨する挙動を生成する。前記挙動生成部１７は、マイクロプロセッサ、各種演算制御プログラム等を用いて構成することができる。
【００１９】
また、図示されていないが、前記クライアントシステム２には、車両の種類を特定する車種情報、車両の所有者（運転者）を特定する所有者情報等を送信する機能が備えられていてもよい。
【００２０】
前記サーバシステム３は、走行履歴データベース２１、挙動履歴データベース２２、画像認識データベース２３、及び基準情報更新部２４を備えている。
【００２１】
前記走行履歴データベース２１は、複数の前記クライアントシステム２により取得された複数の車両についての走行履歴情報を格納する。前記挙動履歴データベース２２は、複数の前記クライアントシステム２により取得された複数の車両についての挙動履歴情報を格納する。前記画像認識データベース２３は、複数の前記クライアントシステム２により取得された複数の車両についての画像認識情報を格納する。前記走行履歴データベース２１、前記挙動履歴データベース２２、及び前記画像認識データベース２３は、高い処理能力を備えるマイクロプロセッサ、書き換え可能な大容量記憶装置、各種演算制御プログラム等を用いて構成することができる。
【００２２】
また、前記車種情報、前記所有者情報等を受信した場合、これらの情報を前記走行履歴情報、前記挙動履歴情報、及び前記画像認識情報に関連付けて格納することが好ましい。
【００２３】
前記基準情報更新部２４は、前記走行履歴データベース２１、前記挙動履歴データベース２２、及び前記画像認識データベース２３に格納された情報に基づいて、前記各クライアントシステム２の前記基準情報格納手段１２に格納された前記基準情報を更新する更新情報を送信する。前記基準情報更新部２４は、これらの格納された情報に前記タイムスタンプが含まれている場合、該タイムスタンプが新しい情報程信頼性が高くなるように重み付けすることが好ましい。また、前記車種情報が含まれている場合、適合する車種の車両に備えられる前記クライアントシステム２に対してのみ、前記更新情報を送信してもよい。更に、前記所有者情報が含まれている場合、当該所有者に適合する情報（例えば所有地に関する情報等）を抽出し、これを前記更新情報に含めて送信してもよい。
【００２４】
上記構成の走行支援システム１により、前記各クライアントシステム２が保持する前記基準情報は、複数の他車により取得され前記サーバシステム３に保持された走行履歴情報、挙動履歴情報、及び画像認識情報に基づいて更新される。そして、前記各クライアントシステム２は、更新された前記基準情報に基づいて推奨ルート・挙動等の有用な情報を生成し、運転者に提供する。これにより、自車が走行したことのない道路であっても、他車により取得されたデータに基づいて作成される前記基準情報に基づいて、推奨ルート・挙動等を生成することが可能となる。これにより、時々刻々と変化する道路環境に略リアルタイムに対応して推奨ルート・挙動等を提供することが可能となる。
【００２５】
図２は、実施の形態１に係る走行支援システム１のハードウェア構成を例示している。本例に係るクライアントシステム２は、コンピュータ３１、測位センサ３２、カメラ３３、車両装置３４、ヒューマンインターフェース３５、及び無線通信システム３６を備えている。
【００２６】
前記コンピュータ３１は、メインＣＰＵ４１、画像認識用ＣＰＵ４２、メモリ４３、ＨＤＤ４４等が互いにバスで接続されて構成されている。また、前記コンピュータ３１は、前記測位センサ３２、前記カメラ３３、前記車両装置３４、前記ヒューマンインターフェース３５、及び前記無線通信システム３６と接続している。前記無線通信システム３６は、前記サーバコンピュータの無線通信システム５２との間で信号の送受を行う。
【００２７】
前記メインＣＰＵ４１及び前記画像認識用ＣＰＵ４２は、前記ＨＤＤ４４に格納された又は前記ＨＤＤ４４から適宜前記メモリ４３に読み出されたプログラム、データベース格納情報等に従って、各種演算処理、各種ハードウェアの制御処理等を実行する。本例においては、前記メインＣＰＵ４１と前記画像認識用ＣＰＵ４２とが個別に設けられている。前記メインＣＰＵ４１は、前記測位センサ３２からの信号等に基づく測位処理、前記測位センサ３２及び前記車両装置（速度センサ、蛇角センサ、加速度センサ等）３４からの信号等に基づく走行履歴取得処理、前記ヒューマンインターフェース（ディスプレイ、タッチパネル、入力キー、マイク、スピーカ等）３５を介して入力された信号等に基づく推奨ルート生成処理、前記測位センサ３２及び前記車両装置３４からの信号等に基づく挙動履歴取得処理、前記測位センサ３２及び前記基準情報等に基づく推奨挙動生成処理、各種ハードウェアの制御処理等を実行する。前記画像認識用ＣＰＵ４２は、主に前記カメラ３３から入力される情報等に基づく画像認識処理を行う。前記ＨＤＤ４４には、上記各種プログラムの他に、前記基準情報を格納するデータベース等が格納されている。
【００２８】
前記サーバシステム３は、コンピュータ５１、及び無線通信システム５２を備えている。前記コンピュータ５１は、ＣＰＵ５５、メモリ５６、及びＨＤＤ５７等が互いにバスで接続されて構成されている。また、前記コンピュータ５１は、前記無線通信システム５２と接続している。前記無線通信システム５２は、複数の前記クライアントシステム２の無線通信システム３６との間で信号の送受を行う。尚、図示していないが、前記サーバシステム３にディスプレイ、キーボード等の適宜のインターフェースデバイスが備えられてもよいことは無論である。
【００２９】
前記ＨＤＤ５７には、前記走行履歴データベース２１（図１参照）、前記挙動履歴データベース２２、及び前記画像認識データベース２３が構築されており、又前記ＣＰＵ５５を前記基準情報更新部２４として機能させるためのプログラム等が格納されている。
【００３０】
図３は、実施の形態１に係る走行支援システム１における処理の流れを例示している。走行中の車両に備えられる前記クライアントシステム２において、画像認識処理が行われる（Ｓ１０１）。この画像認識処理において、当該車両の進行方向及び周辺の路面、レーン、信号、標識、障害物、他車両、歩行者等が認識される。また、この画像認識の結果は、逐次前記サーバシステム３に送信されることが好ましい。次いで、自車位置を検知する測位処理が行われる（Ｓ１０２）。この測位処理において、ＧＰＳシステム、ジャイロセンサ、加速度センサ等による検知信号に基づいて、自車位置が特定される。
【００３１】
次いで、検知された自車位置に対応する前記基準情報（道路網の構成、路上及び周辺の状況、車両の挙動等に関する情報）が前記サーバシステム３から抽出され、前記クライアントシステム２に送信され、当該クライアントシステム２が保持する前記基準情報が更新される（Ｓ１０３）。即ち、ある車両の自車位置が検知されると、当該自車位置が前記サーバシステム３に送信され、当該自車位置に対応する情報が前記走行履歴データベース２１、前記挙動履歴データベース２２、前記画像認識データベース２３から抽出される。この抽出結果は前記基準情報更新部２４により解析され、最新の前記基準情報が生成される。そして、この最新の基準情報は前記クライアントシステム２に送信され、当該クライアントシステム２が保持する前記基準情報が更新される。
【００３２】
次いで、前記クライアントシステム２は、更新された前記基準情報に基づいて、所定の目的地までの推奨ルートを複数生成し（Ｓ１０４）、各推奨ルートについて検証処理を行う（Ｓ１０５）。この検証処理は、前記推奨ルートの各地点に対応する前記基準情報を前記サーバシステム３から呼び出し、当該推奨ルート上に通行不可能な場所がないか等を、他車の走行履歴、挙動履歴、画像認識結果等に基づいて検証するものである。例えば、画像認識結果により通行禁止の標識・標示、障害物等が検出されたり、過去の所定期間内に他車の走行履歴が無かったり、多くの車両が急停止・Ｕターン・迂回等の挙動を行ったりした場所は、推奨ルートとして不良であると判定する根拠となり得る。
【００３３】
前記ステップＳ１０５における検証結果が良好であると判定されたルートは、推奨ルートとして確定され（Ｓ１０７）、当該推奨ルートに適合する推奨挙動、即ちレーン選択、速度調整等についての指示情報を生成する（Ｓ１０８）。そして、必要に応じて、前記推奨ルート及び前記推奨挙動に対応する走行の実現を補助する走行アシスト処理を実行してもよい（Ｓ１０９）。この場合における前記走行アシスト処理は、例えば前記推奨ルート又は前記推奨挙動に対応してハンドル、アクセル、ブレーキ等を自動制御又はアシスト制御するものであるとよい。また、前記ステップＳ１０６において、推奨ルートの検証結果が不良である場合、即ち推奨ルートが生成できない場合には、車両の停止等を促す走行アシスト処理を行うことが好ましい（Ｓ１０９）。
【００３４】
図４（Ａ）〜（Ｄ）は、ある道路６１が推奨ルートとして適しているか否かの判定及び推奨挙動の生成に関する状況を例示している。図４（Ａ）は、ある道路６１について１００台の車両が直進した走行履歴がある状況を示している。図４（Ｂ）は、前記道路６１に路上駐車車両が出現し、２台の車両がこれを迂回する挙動を行った状況を示している。図４（Ｃ）は、前記路上駐車車両が発進し、迂回要因が解消した状況を示している。図４（Ｄ）は、前記迂回要因の解消後、直進する車両が出現し、直進した車両の総数が１０３台となった状況を示している。
【００３５】
上記状況の変化においては、迂回車両の台数の比率が低い点、迂回挙動後に直進挙動が行われた点等から、ルートが不良であると判定するには至らない。従って、このような状況変化が生じた道路６１については、推奨ルートから外す必要はなく、又迂回挙動を推奨挙動として提案する必要もないと判定することができる。
【００３６】
図５（Ａ），（Ｂ）は、ある駐車場６４を目的地として設定した場合における推奨ルート及び推奨挙動の生成に関する状況を例示している。図５（Ｂ）において、車両６５が空きスペース６６まで誘導される状況が示されている。前記車両６５に備えられる前記クライアントシステム２は、自車又は他車の走行履歴又は挙動履歴に基づいて、スペース６８が駐車可能な場所であったことを検出したが、当該駐車場６４への到着時には、既に他の車両が駐車していることを画像認識又は前記サーバシステム３に格納される他車の走行履歴等の情報に基づいて検出した。また、スペース６９は、空き状態であることが検出されたが、例えば前記サーバコンピュータ３が保持する走行履歴により、ある特定の車両７０にしか駐車されていないことが検出されたならば、契約車両用のスペースであると判定することができるため、目的地とされない。目的地として設定された前記スペース６６までの走行時には、第１の地点７３及び第２の地点７４において、車内に設置されたディスプレイ上に左折を促す表示７４，７５を表示させる。そして、前記スペース６６を通り過ぎた第３の地点７５においては、リバースを促す表示７６を表示させる。
【００３７】
図６（Ａ），（Ｂ）は、時間帯により推奨挙動が変化する状況を例示している。図６（Ａ）において、推奨ルートが交差点を左折するものであって、左側のレーン７９が７：００〜９：００の間はバス専用レーンである場合が示されている。この時、時刻が６：４３であるため、前記クライアントシステム２は、前記左側のレーン７９への車線変更を促す表示８０を表示させる。一方、図６（Ｂ）は、時刻が８：２５であって、前記左側のレーン７９がバス専用レーンとなっている状況を示している。この場合、前記クライアントシステム２は、バス専用レーンな中程である第１の地点８１において、左側への車線変更を禁止する表示８２を表示させる。そして、バス専用レーンの略終点である第２の地点８３において、左側への車線変更を促す表示８４を表示させる。
【００３８】
図７（Ａ），（Ｂ）は、不可視の障害物が存在する場合の対応を例示している。図７（Ａ）は、左折直後に路上駐車車両８７が存在する状況を示している。このような状況下では、ある車両８８は左折を促す表示８９に従って見通しの悪い交差点を左折した直後に、前記路上駐車車両８７を避けるために、急ブレーキ、急ハンドル等の挙動を行うこととなる。このような挙動履歴は、前記サーバコンピュータ３の前記挙動履歴データベース２２に格納される。そして、図７（Ｂ）に示すように、他の車両９２が当該交差点を左折する場合、前記車両８８の挙動履歴に基づいて、前記車両９２の運転者に対して左折後の注意を喚起する表示９３が表示される。
【００３９】
上記のように、前記車両走行支援システム１によれば、複数の車両の走行履歴、挙動履歴、及び画像認識結果に基づいて、推奨ルート及び推奨挙動が生成される。これにより、最新の道路網構成、一時的な道路状況等に対応した最適な推奨ルート及び推奨挙動を提案することが可能となる。
【００４０】
尚、本発明は、上記実施の形態に限られるものではなく、趣旨を逸脱しない範囲で適宜変更することが可能なものである。
【符号の説明】
【００４１】
１  車両走行支援システム
２  クライアントシステム
３  サーバシステム
１１  測位部
１２  基準情報格納部
１３  走行履歴取得部
１４  挙動履歴取得部
１５  画像認識部
２１  走行履歴データベース
２２  挙動履歴データベース
２３  画像認識データベース
２４  基準情報更新部
【図１】
2011145756.tif 000003
【図２】
2011145756.tif 000004
【図３】
2011145756.tif 000005
【図４】
2011145756.tif 000006
【図５】
2011145756.tif 000007
【図６】
2011145756.tif 000008
【図７】
2011145756.tif 000009
【図８】
2011145756.tif 000010